(57)【要約】【課題】インクジェット記録ヘッドのクリーニング性に優れ、連続出射を行っても優れた吐出安定性が実現できるヘッドクリーニング液及びそれを用いたクリーニング方法を提供する。【解決手段】水溶性染料を含有する水系インクジェットインクを吐出するインクジェット記録ヘッドのノズル面をクリーニングするのに用いるヘッドクリーニング液において、キレート剤を０．０１質量％以上、１．０質量％以下含有することを特徴とするヘッドクリーニング液。【選択図】なし【特許請求の範囲】
【請求項１】
水溶性染料を含有する水系インクジェットインクを吐出するインクジェット記録ヘッドのノズル面をクリーニングするのに用いるヘッドクリーニング液において、キレート剤を０．０１質量％以上、１．０質量％以下含有することを特徴とするヘッドクリーニング液。
【請求項２】
前記キレート剤が、エチレンジアミン四酢酸（ＥＤＴＡ）、ニトリロ三酢酸（ＮＴＡ）、ジエチレントリアミン五酢酸（ＤＴＰＡ）、Ｌ−アスパラギン酸二酢酸（ＧＬＤＡ）、ヒドロキシエチルエチレンジアミン六酢酸（ＨＥＤＴＡ）、グリコールエーテルジアミン四酢酸（ＧＥＤＴＡ）、トリエチレンテトラミン六酢酸（ＴＴＨＡ）、ヒドロキシエチルイミノ二酢酸（ＨＩＤＡ）及びジヒドロキシエチルグリシン（ＤＨＥＧ）から選ばれる少なくとも１種であることを特徴とする請求項１に記載のヘッドクリーニング液。
【請求項３】
更に、消泡剤及び防黴剤を含有することを特徴とする請求項１または２に記載のヘッドクリーニング液。
【請求項４】
前記水溶性染料を含有する水系インクジェットインクを吐出する前記インクジェット記録ヘッドのノズル面のクリーニング機構を有するインクジェット記録装置に用いることを特徴とする請求項１から３のいずれか１項に記載のヘッドクリーニング液。
【請求項５】
請求項１から４のいずれか１項に記載のヘッドクリーニング液を装備したクリーニング機構により、水溶性染料を含有する水系インクジェットインクを吐出した後のインクジェット記録ヘッドのノズル面をクリーニングすることを特徴とするクリーニング方法。
【発明の詳細な説明】
【技術分野】
【０００１】
本発明は、色材として水溶性染料を用いた水系インクジェットインクを用いるインクジェット記録装置において、インクの出射に用いるインクジェット記録ヘッドをクリーニングするクリーニング機構に使用するヘッドクリーニング液及びそれを用いたクリーニング方法に関するものである。
【背景技術】
【０００２】
近年、インクジェット記録装置で画像を印刷することが急速に広まり、それに伴いインクジェット記録装置に使用するインクジェット記録ヘッドの高解像度化が求められ得てきている。また、そのインクジェット記録ヘッドに使用するインクジェット用インクとしては、発色の鮮やかさなどの観点から水溶性染料を含有する水系インクジェットインクが多く用いられており、その水系インクジェットインクを数十ミクロンオーダーの微小なインク液滴としてインクジェット記録ヘッドのノズルから吐出させて、画像形成を行っている。
【０００３】
しかしながら、水系インクジェットインクの溶媒は水が主成分であるため、空気に触れると揮発しやすく、インク液滴の残りがノズル表面部に付着すると、その部分にインク固化物が堆積して、インクの目詰まりや出射不良を引き起こすことが指摘されていた。そこで、従来からインクジェット記録ヘッドのノズル表面部には、撥水処理をしてノズル表面への付着を防ぐ方法が提案されている（例えば、特許文献１参照）。
【０００４】
しかしながら、特許文献１に記載されているような方法を施しても、長期間にわたるインクジェット記録ヘッドから安定したインクの吐出を確保することは困難であり、そのため、ノズルプレート面を物理的に清掃するクリーニング手段がインクジェット記録装置のシステム内に設けられている。例えば、ノズルプレート面に吸引手段を接合してノズルを強制的に吸引する手段や、ブレードでノズルプレート面を掻き取る方法が提案されている（例えば、特許文献２参照）。
【０００５】
特許文献２等で提案されている方法では、インクジェット記録ヘッドのノズルプレート面に発生する固着物による故障には効果があるが、固着物はこのようなノズルプレート面だけでなく、ノズル内部（オリフィス部）に固着物が堆積・固着して目詰まりや液滴の斜め射出という故障が発生するため、上記技術だけでは解決には至っていなかった。
【０００６】
上記課題に対し、ノズルプレートをふき取る際に用いるヘッドクリーニング液でノズル面や内部（オリフィス部）を浸すことにより、ノズル内部の固着物を溶解して、ノズル内部の固着物発生による目詰まりを防止する方法が提案され、更には、インクジェットヘッドのクリーニング液としては、インクジェットインク組成物から水溶性染料のみを除いた成分で構成する方法が提案されている（例えば、特許文献３参照）。
【０００７】
また、使用方法としては上記の方法とは異なるが、メンテナンス液としてアルコール類と陰イオン界面活性剤、および水を含むインクジェット記録ヘッド用のメンテナンス液を長期間にわたりノズル部に充填する方法が提案されている。これにより、ノズルに付着した染料固着物を上記溶剤を含むメンテナンス液で溶解してノズルの状態を最適に保つ方法が開示されている（例えば、特許文献４参照）。
【０００８】
更に、水系インクジェットインクを用いた場合には、インクジェット記録ヘッドのノズル端部でカビや細菌が繁殖することによる印字の乱れを防止し、かつクリーニング時に発生する気泡のインクジェット記録ヘッドへの付着を防止する目的で、消泡剤、防薇剤を添加した水を主成分とするクリーニング液が提案されている（例えば、特許文献５、６参照）。
【０００９】
また、クリーニング液を長期間にわたり保存することによって生じる黴対策として、クリーニング液製造時に限外濾過と粘度調整を行い、生菌数を出荷時に制限する方法も開示されている（例えば、特許文献７参照）。
【先行技術文献】
【特許文献】
【００１０】
【特許文献１】特開平６−８４１６号公報
【特許文献２】特開２００３−１９１４８０号公報
【特許文献３】特公平６−８４３７号公報
【特許文献４】特公平８−３０２００号公報
【特許文献５】特開２０００−３０３３７２号公報
【特許文献６】特開２０００−３２８０９３号公報
【特許文献７】特開平１１−１５２４９９号公報
【発明の概要】
【発明が解決しようとする課題】
【００１１】
しかしながら、上記各特許文献により提案されている技術を持ってしても達成しえない課題があった。すなわち、インクジェット記録ヘッドのノズル部は、インクが常時一定位置にインク界面があるわけではなく、絶えずその位置界面が微妙に変動している。このため、ノズル内部でも、端部に近い領域では外部空気と接触する機会が多いため、ノズル内部の端部はインクが付着すると乾燥しやすくなると考えられる。
【００１２】
インクが乾燥する過程では、インク中の溶媒が揮発していくことになるが、同時に染料の水溶性基に不純物である金属イオンが付着しやすくなり、インクの乾燥物が非水溶性化することが判明した。この様な状況下では、記録ヘッドのノズル内部で固着物が多く発生しており、上記提案されている従来技術を適用しても、発生した固着物を物理的にふき取り、あるいはクリーニング溶媒で再溶解して除去することが困難であった。
【００１３】
また、上記提案されている各クリーニング液にアルカリ剤を添加してｐＨを調整して強力に固着物を溶解する方法も考えられるが、アルカリ液はインクヘッドのノズル端部にコートされている撥水層までも溶解してしまうため、ノズル端部の撥水性が低下し、かえってノズル部にインク液滴が付着しやすく、その残インクが再び乾燥してノズル部に固着してしまうという不具合があると考えられる。
【００１４】
これにより、従来提案されている各技術のクリーニング液を適用してインクジェット記録ヘッドの清掃をやっても、水溶性基に金属イオンが付着した固着物は容易に水に溶解しないため十分にクリーニングできず、ノズル内に堆積していくと推定される。この堆積物があることで、インクを吐出する際の障害となり、インクが斜めに射出されて定位置に印字されないという課題があった。
【００１５】
本発明は、上記課題に鑑みなされたものであり、その目的は、インクジェット記録ヘッドのクリーニング性に優れ、インクジェット記録ヘッドを用いて連続出射を行っても優れた吐出安定性が実現できるヘッドクリーニング液及びそれを用いたクリーニング方法を提供することにある。
【課題を解決するための手段】
【００１６】
本発明の上記目的は、以下の構成により達成される。
【００１７】
１．水溶性染料を含有する水系インクジェットインクを吐出するインクジェット記録ヘッドのノズル面をクリーニングするのに用いるヘッドクリーニング液において、キレート剤を０．０１質量％以上、１．０質量％以下含有することを特徴とするヘッドクリーニング液。
【００１８】
２．前記キレート剤が、エチレンジアミン四酢酸（ＥＤＴＡ）、ニトリロ三酢酸（ＮＴＡ）、ジエチレントリアミン五酢酸（ＤＴＰＡ）、Ｌ−アスパラギン酸二酢酸（ＧＬＤＡ）、ヒドロキシエチルエチレンジアミン六酢酸（ＨＥＤＴＡ）、グリコールエーテルジアミン四酢酸（ＧＥＤＴＡ）、トリエチレンテトラミン六酢酸（ＴＴＨＡ）、ヒドロキシエチルイミノ二酢酸（ＨＩＤＡ）及びジヒドロキシエチルグリシン（ＤＨＥＧ）から選ばれる少なくとも１種であることを特徴とする前記１に記載のヘッドクリーニング液。
【００１９】
３．更に、消泡剤及び防黴剤を含有することを特徴とする前記１または２に記載のヘッドクリーニング液。
【００２０】
４．前記水溶性染料を含有する水系インクジェットインクを吐出する前記インクジェット記録ヘッドのノズル面のクリーニング機構を有するインクジェット記録装置に用いることを特徴とする前記１から３のいずれか１項に記載のヘッドクリーニング液。
【００２１】
５．前記１から４のいずれか１項に記載のヘッドクリーニング液を装備したクリーニング機構により、水溶性染料を含有する水系インクジェットインクを吐出した後のインクジェット記録ヘッドのノズル面をクリーニングすることを特徴とするクリーニング方法。
【発明の効果】
【００２２】
本発明により、インクジェット記録ヘッドのクリーニング性に優れ、連続出射を行っても優れた吐出安定性が実現できるヘッドクリーニング液及びそれを用いたクリーニング方法を提供することができた。
【図面の簡単な説明】
【００２３】
【図１】クリーニング機構を備えたインクジェット記録装置の構成の一例を示す概略ライン図である。
【図２】本発明のヘッドクリーニング液を貯留したクリーニング機構によるヘッドクリーニングの状態を示す模式図である。
【発明を実施するための形態】
【００２４】
以下、本発明を実施するための形態について詳細に説明する。
【００２５】
本発明者は、上記課題に鑑み鋭意検討を行った結果、水溶性染料を含有する水系インクジェットインクを吐出するインクジェット記録ヘッドのノズル面をクリーニングするのに用いるヘッドクリーニング液において、キレート剤を０．０１質量％以上、１．０質量％以下含有することを特徴とするヘッドクリーニング液により、インクジェット記録ヘッドのクリーニング性に優れ、連続出射を行っても優れた吐出安定性が実現できるヘッドクリーニング液を実現することができることを見出し、本発明に至った次第である。
【００２６】
以下、本発明のヘッドクリーニング液の構成と、その使用方法について、その詳細を説明する。
【００２７】
《ヘッドクリーニング液》
本発明のヘッドクリーニング液は、少なくとも反応性染料、酸性染料などの水溶性染料を含有し、更にはイオン交換水、有機溶剤、界面活性剤、防黴剤、消泡剤等から構成される水系インクジェットインク（以下、単にインクともいう）を、インクジェット記録ヘッド（以下、記録ヘッドあるいは単にヘッドともいう）から吐出して印字するインクジェット記録装置に装着されている記録ヘッドのクリーニング機構に用いる。
【００２８】
本発明に係るインクジェット記録装置には、記録ヘッドのメンテナンス部が装備されており、インクの保湿キャップ、吸引キャップ、またワイパーブレードなどによる通常のメンテナンスに加えて、本発明のヘッドクリーニング液を用いてインクジェット記録ヘッドのノズル面、あるいはノズル内部の洗浄を行うためのクリーニング機構を備える。
【００２９】
〔キレート剤〕
本発明のヘッドクリーニング液では、ヘッドクリーニング液全質量に対して、キレート剤を０．０１質量％以上、１．０質量％以下含有することを特徴とする。本発明のヘッドクリーニング液において、キレート剤を含有することにより本願発明の目的効果が達成される理由は、以下の通りである。
【００３０】
本発明に係る水系インクジェットインクを構成する水溶性染料には、反応性染料、酸性染料などが挙げられるが、水溶性染料はその染料骨格の中に水溶性官能基を有しており、この水溶性官能基が水分子と会合して水溶性になる。しかしながら、この水溶性官能基は、インクの乾燥過程あるいは加熱などにより染料骨格から外れやすくなるため、特に、インクの乾燥あるいは加熱には、これらを抑制するための注意が必要とされている。
【００３１】
一方、水溶性染料を含有するインクは、インクジェット記録ヘッドのノズルから吐出される際、ノズル端面や内部に接液するため、どうしてもノズル端面やノズル内部にインクが残留しやすくなる。この残留したインクが乾燥されると、水溶性染料がノズル周辺部に固着して、不溶化すると考えられる。
【００３２】
現在のインクジェットプリントシステムでは、インクジェット記録ヘッドのノズル端面を、物理的手段により定期的に清掃する機構が付いているが、ノズル内部はクリーニングすることができない。このため、定常的にインクを非印字部でノズルから排出してノズル内部が乾燥しないようにするシステムを取ることが多い。しかし、非印字部におけるノズルからの排出は、インク量ロスを軽減することも必要であり、一定の長時間の間隔をおいてノズルから排出される。このため、ノズル内部では、インクが排出されるまでにノズル内部とインク界面から乾燥が生じることになる。また、接液しているインク液溜まりの位置は、常に一定に保たれているわけではなく、たえず接液部の位置が変化している。この動作がくり返されることにより、ノズル内部の接液部に固着物が堆積してくると推定され、この堆席物の剥離等により、ノズル部で目詰まりを起こし、インク吐出の際の障害となってインクが斜めに射出されて定位置に印字されなくなる現象となっていたと考えられる。
【００３３】
本発明者は、これらのインク成分の乾燥等に起因する固着物について、その組成を定量分析により確認した結果、インクに使用している水溶性染料の元素成分の他に、本来は水溶性染料の成分としては含まれない金属イオンが検出されていた。これら金属イオンとしては、Ｍｇ、Ｆｅ、Ｃａ、Ｎｉなどであり、これらの金属イオンが固着物の形成を促進していることが判明した。
【００３４】
そこで、この固着物の除去方法について鋭意検討した結果、固着物の不溶性を促進している金属物を溶解することにより、水溶性化が達成でき、水に溶解すると考察した。具体的には、このような金属物は金属錯体で取り囲むことにより可溶化できるとの推測のもと、クリーニング液に金属キレート剤を添加して、その固形物に対する溶解性を確認した結果、特定範囲のキレート剤をクリーニング液に添加することにより、すみかに固形物を溶解できることが判明し、本発明に至った次第である。
【００３５】
以下、本発明のヘッドクリーニング液が含有するキレート剤の詳細について説明する。
【００３６】
本発明のヘッドクリーニング液に適用可能なキレート剤としては、特に制限はないが、キレート安定度定数が８以上であるキレート剤を含有することが、本発明の目的効果の観点から好ましい。ここでいうキレート安定度定数とは、Ｌ．Ｇ．Ｓｉｌｌｅｎ，Ａ．Ｅ．Ｍａｒｔｔｅｌｌ著“Ｓｔａｂｉｌｉｔｙ  Ｃｏｎｓｔａｎｔｓ  ｏｆ  Ｍｅｔａｌ−ｉｏｎ  Ｃｏｍｐｌｅｘｅｓ”Ｔｈｅ  Ｃｈｅｍｉｃａｌ  Ｓｏｃｉｅｔｙ，Ｌｏｎｄｏｎ（１９６４）、Ｓ．Ｃｈａｂｅｒｅｋ，Ａ．Ｅ．Ｍａｒｔｅｌｌ著“Ｏｒｇａｎｉｃ  Ｓｅｑｕｅｓｔｅｒｉｎｇ  Ａｇｅｎｔｓ”  Ｗｉｌｅｙ（１９５９）等により一般に知られた定数を意味する。
【００３７】
キレート安定度定数が８以上、具体的には、鉄イオンとのキレート安定度定数が８以上であるキレート剤としては、有機カルボン酸キレート剤、有機リン酸キレート剤、無機リン酸キレート剤、ポリヒドロキシ化合物等が挙げられる。なお、上記鉄イオンとは、第２鉄イオン（Ｆｅ３＋）を意味する。
【００３８】
第２鉄イオンとのキレート安定度定数が８以上であるキレート剤の具体的化合物例としては、例えば、エチレンジアミン四酢酸、エチレンジアミンジオルトヒドロキシフェニル酢酸、ジアミノプロパン四酢酸、ニトリロ三酢酸、ヒドロキシエチルエチレンジアミン六酢酸、ヒドロキシエチレンジアミン三酢酸、ヒドロキシエチルイミノ二酢酸、ジヒドロキシエチルグリシン、エチレンジアミン二酢酸、エチレンジアミン二プロピオン酸、イミノ二酢酸、ジエチレントリアミン五酢酸、ヒドロキシエチルイミノ二酢酸、ジアミノプロパノール四酢酸、トランスシクロヘキサンジアミン四酢酸、グリコールエーテルジアミン四酢酸、トリエチレンテトラミン六酢酸、エチレンジアミンテトラキスメチレンホスホン酸、ニトリロトリメチレンホスホン酸、１−ヒドロキシエチリデン−１，１−ジホスホン酸、１，１−ジホスホノエタン−２−カルボン酸、２−ホスホノブタン−１，２，４−トリカルボン酸、１−ヒドロキシ−１−ホスホノプロパン−１，２，３−トリカルボン酸、カテコール−３，５−ジホスホン酸、ピロリン酸ナトリウム、テトラポリリン酸ナトリウム、ヘキサメタリン酸ナトリウム、Ｌ−アスパラギン酸二酢酸、ヒドロキシエチルグリシンや、２つの酸性基をもった配位子としては、例えば、マロン酸、シュウ酸、フタル酸、グリコール酸、サリチル酸がある。一つの酸性基と一つの非酸性配位基をもった配位子として、例えば、８−キノリノール、アセチルアセトン、トリフルオロアセトン、ジメチルグリオキシム、ジチゾン、サリチルアルデヒドがある。二つの非酸性配位基をもった配位子としてエチレンジアミン、２，２′−ビピリジン、１，１０−フェナントロリン等が挙げられる。
【００３９】
本発明においては、その中でも、エチレンジアミン四酢酸（ＥＤＴＡ）、ニトリロ三酢酸（ＮＴＡ）、ジエチレントリアミン五酢酸（ＤＴＰＡ）、Ｌ−アスパラギン酸二酢酸（ＧＬＤＡ）、ヒドロキシエチルエチレンジアミン六酢酸（ＨＥＤＴＡ）、グリコールエーテルジアミン四酢酸（ＧＥＤＴＡ）、トリエチレンテトラミン六酢酸（ＴＴＨＡ）、ヒドロキシエチルイミノ二酢酸（ＨＩＤＡ）及びジヒドロキシエチルグリシン（ＤＨＥＧ）から選ばれる少なくとも１種であることが好ましい。
【００４０】
本発明のヘッドクリーニング液においては、本発明に係るキレート剤を、ヘッドクリーニング液全質量の０．０１質量％以上、１．０質量％以下含有させることを特徴とし、本発明で規定する範囲でキレート剤を含有させることにより、発生した固着物中に存在する金属イオンに対し配位結合によりキレート錯体を形成し、可溶化する。
【００４１】
本発明のヘッドクリーニング液におけるキレート剤の含有量が０．０１質量％以上であれば、キレート効果を十分に発揮させることができ、１．０質量％以下であれば、キレート剤自身の析出等による影響を排除することができる。
【００４２】
〔その他の添加剤〕
本発明のヘッドクリーニング液においては、本発明に係るキレート剤と共に、本発明の目的効果を損なわない範囲で、消泡剤あるいは防黴剤を含有させることが好ましい。
【００４３】
（消泡剤）
本発明のヘッドクリーニング液を適用するクリーニング機構においては、ヘッドクリーニング液を貯留するクリーニング液貯部で気泡が発生しやすく、その気泡を含むクリーニング液でインクジェット記録ヘッドのクリーニングを行うと、ノズル部での気泡付着により、出射不良等のノズル欠を発生する。あるいは、クリーニング液でインクジェット記録ヘッドのノズル端面を擦るため、どうしてもインクと接液することになり、インク中に含まれている界面活性剤により、ワイピング時にノズル面で泡を発生する。この気泡がノズル面に残っているとノズル欠に繋がる故障となる。
【００４４】
上記のような各状況下での気泡の発生を防止する観点から、本発明のヘッドクリーニング液は、消泡剤を含有することが好ましい。
【００４５】
本発明に適用可能な消泡剤としては、特に制限はないが、ジメチルポリシロキサン、ポリオキシアルキレン変性シリコーン、有機変性ポリシロキサン、フッ素シリコーン等のシリコーン系消泡剤、ヒマシ油、ゴマ油、アマニ油、動植物油等の油脂系消泡剤、ステアリン酸、オレイン酸、パルミチン酸等の脂肪酸系消泡剤、イソアミルステアリン酸、ジグリコールラウリン酸、ジステアリルコハク酸、ジステリン酸、ソルビタンモノラウリン酸、グリセリン脂肪酸エステル、ポリオキシエチレンソルビタン、モノラウリン酸ブチルステアレート、ショ糖脂肪酸エステル、スルホン化リチノール酸のエチル酢酸アルキルエステル、天然ワックス等の脂肪酸エステル系消泡剤、ポリオキシアルキレングリコールとその誘導体、ポリオキシアルキレンアルコール水和物、ジアミルフェノキシエタノール、３−ヘプタノール、２−エチルヘキサノール等のアルコール系消泡剤、３−ヘプチルセルソルブ、ノニルセルソルブ−３−ヘプチルカルビトール等のエーテル系消泡剤、トリブチルホスフェート、オクチルリン酸ナトリウム、トリス（ブトキシエチル）ホスフェート等のリン酸エステル系消泡剤、ジアミルアミン等のアミン系消泡剤、ポリアルキレンアマイド、アシレイトポリアミン、ジオクタデカノイルピペリジン等のアマイド系消泡剤、Ａｌステアリン酸、Ｃａステアリン酸、Ｋオレイン酸、ウールオレインのＣａ塩等の金属セッケン系消泡剤、Ｎａラウリルスルホン酸、Ｎａドデシルスルホン酸等のスルホン酸エステル系消泡剤、フッ素系消泡剤（例えば、パーフルオロアルキルスルホン酸やパーフルオロアルキルカルボン酸などのパーフルオロアルキル基を有する有機酸のアンモニウム又はアルカリ金属との塩からなるアニオン系消泡剤、パーフルオロアルキル基を有する４級アンモニウムハライド等のカチオン系消泡剤、パーフルオロアルキル含有オリゴマー、フッ素化アルキルエステル、パーフルオロアルキルアルコキシレート、パーフルオロアルキルエチレンオキシド付加物、パーフルオロアルキルアミンオキシド等のノニオン系消泡剤等）が利用可能である。
【００４６】
これらの消泡剤のなかで、効果及び安定性の観点から、シリコーン系消泡剤またはフッ素系消泡剤が好適に用いられる。
【００４７】
更に、これらの消泡剤は市販品としても入手可能であり、脂肪酸エステル系消泡剤としては、例えば、ＮｏｐｃｏＣｈｅｍ．Ｃｏ製のＮｏｐｃｏ  ＫＦ等が挙げられる。エーテル系消泡剤としては、例えば、竹本油脂（株）製バイオニンＫ−１７、バイオニンＫ−２５、サンノプコ（株）製ＳＮデフォーマー７７７等が挙げられる。金属石鹸系消泡剤としては、例えば、サンノプコ（株）製ノプコＤＦ１２２−ＮＳ等が挙げられる。シリコーン系消泡剤としては、例えば、サンノプコ（株）製のＳＮデフォーマー３８１、ＳＮデフォーマー５０１６、デヒドラン１５１３、東レダウコーニングシリコーン（株）製のＳＭ−５５１３、シリコーン系消泡剤としては、例えば、東レダウコーニング社製のＦＳアンチフォーム９０、ＦＳアンチフォーム９２、信越化学工業社製のＫＳ５０８、ＫＳ５３７、ＫＳ５３８、七福化学社製のＦ１００等が挙げられる。
【００４８】
本発明のヘッドクリーニング液における消泡剤の添加量としては、ヘッドクリーニング液全質量の０．０１質量％以上、０．１質量％以下含有させることが好ましい。０．０１質量％以上であれば消泡剤としての効果を発現することができ、０．１質量％であれば消泡剤による析出等の悪影響を抑制することができる。
【００４９】
（防黴剤）
本発明のヘッドクリーニング液を適用するクリーニング機構においては、ヘッドクリーニング液を貯留するクリーニング液貯部では、空気中に存在する黴等が混入し易く、その黴を含むクリーニング液でインクジェット記録ヘッド部のクリーニングを行うと、ノズル部で黴等が付着、増殖して、これらが異物となってインクジェットプリンタ内のヘッドノズルやインク流路内を詰まらせ、出射不良等の故障を発生させる。
【００５０】
上記のような各状況下での黴による出射不良を防止する観点から、本発明のヘッドクリーニング液は、防黴剤を含有することが好ましい。
【００５１】
本発明に適用可能な防黴剤としては、例えば、フェノール又はその誘導体、ｏ−フェニルフェノール、ｐ−クロロメタクレゾール、ヒドロキシ安息香酸アルキルエステル、ホルマリン、イミダゾール誘導体、デヒドロ酢酸ナトリウム、４−イソチアゾリン−３−オン誘導体、ベンゾイソチアゾリン−３−オン、ベンズトリアゾール誘導体、アミジングアニジン誘導体、四級アンモニウム塩類、ピリジン、キノリン、グアニジン等の誘導体、ダイアジン、トリアゾール誘導体、オキサゾール、オキサジン誘導体等が挙げられ、更には、イソチアゾリン誘導体、例えば、４−イソチアゾリン−３−オン誘導体、ベンゾイソチアゾリン−３−オン等、具体的には、１，２−ベンゾイソチアゾリン−３−オンの他、５−クロロ−２−メチル−４−イソチアゾリン−３−オン、２−メチル−４−イソチアゾリン−３−オン等が好ましく挙げられる。
【００５２】
更に、これらの防黴剤は市販品としても入手可能であり、例えば、１，２−ベンズイソチアゾリジン−３−オン（アビシア社のプロキセルＣＲＬ、プロキセルＢＤ、プロキセルＧＸＬ、プロキセルＴＮ、プロキセルＸＬ−２、プロキセルＧＸＬ−Ｓ等）、４−クロロ−３−メチルフェノール（バイエル社のプリベントールＣＭＫ等）が挙げられる。
【００５３】
本発明のヘッドクリーニング液における防黴剤の添加量としては、ヘッドクリーニング液全質量の０．０１質量％以上、０．１質量％以下含有させることが好ましい。０．０１質量％以上であれば十分な防黴効果を発現することができ、０．１質量％であれば防黴剤による析出等の悪影響を抑制することができる。
【００５４】
〔水系インクジェットインク〕
本発明のヘッドクリーニング液を用いたインクジェット記録装置に用いるインクジェットインクとしては、色材として少なくとも水溶性染料を含有する水系インクジェットインクであることを特徴とする。
【００５５】
本発明に適用可能な水系インクジェットインクの構成について、その概略を説明する。
【００５６】
（水溶性染料）
水溶性染料の例としては、例えば、アゾ染料、アゾメチン染料、キサンテン染料、キノン染料などを挙げることができ、直接染料、酸性染料、反応性染料、塩基性染料等の水溶性染料の一例を以下に示す。
【００５７】
直接染料としては、Ｃ．Ｉ．ダイレクトイエロー１、４、８、１１、１２、２４、２６、２７、２８、３３、３９、４４、５０、５８、８５、８６、１００、１１０、１２０、１３２、１４２、１４４；Ｃ．Ｉ．ダイレクトレッド１、２、４、９、１１、１３、１７、２０、２３、２４、２８、３１、３３、３７、３９、４４、４７、４８、５１、６２、６３、７５、７９、８０、８１、８３、８９、９０、９４、９５、９９、２２０、２２４、２２７、２４３；Ｃ．Ｉ．ダイレクトブルー１、２、６、８、１５、２２、２５、７１、７６、７８、８０、８６、８７、９０、９８、１０６、１０８、１２０、１２３、１６３、１６５、１９２、１９３、１９４、１９５、１９６、１９９、２００、２０１、２０２、２０３、２０７、２３６、２３７；Ｃ．Ｉ．ダイレクトブラック２、３、７、１７、１９、２２、３２、３８、５１、５６、６２、７１、７４、７５、７７、１０５、１０８、１１２、１１７、１５４等が挙げられ、
酸性染料としては、Ｃ．Ｉ．アシッドイエロー２、３、７、１７、１９、２３、２５、２９、３８、４２、４９、５９、６１、７２、９９；Ｃ．Ｉ．アシッドオレンジ５６、６４；Ｃ．Ｉ．アシッドレッド１、８、１４、１８、２６、３２、３７、４２、５２、５７、７２、７４、８０、８７、１１５、１１９、１３１、１３３、１３４、１４３、１５４、１８６、２４９、２５４、２５６；Ｃ．Ｉ．アシッドバイオレット１１、３４、７５；Ｃ．Ｉ．アシッドブルー１、７、９、２９、８７、１２６、１３８、１７１、１７５、１８３、２３４、２３６、２４９；Ｃ．Ｉ．アシッドグリーン９、１２、１９、２７、４１；Ｃ．Ｉ．アシッドブラック１、２、７、２４、２６、４８、５２、５８、６０、９４、１０７、１０９、１１０、１１９、１３１、１５５等が挙げられ、
反応性染料としては、Ｃ．Ｉ．リアクティブイエロー１、２、３、１３、１４、１５、１７、３７、４２、７６、９５、１６８、１７５；Ｃ．Ｉ．リアクティブレッド２、６、１１、２１、２２、２３、２４、３３、４５、１１１、１１２、１１４、１８０、２１８、２２６、２２８、２３５；Ｃ．Ｉ．リアクティブブルー７、１４、１５、１８、１９、２１、２５、３８、４９、７２、７７、１７６、２０３、２２０、２３０、２３５；Ｃ．Ｉ．リアクティブオレンジ５、１２、１３、３５、９５；Ｃ．Ｉ．リアクティブブラウン７、１１、３３、３７、４６；Ｃ．Ｉ．リアクティブグリーン８、１９；Ｃ．Ｉ．リアクティブバイオレット２、４、６、８、２１、２２、２５；Ｃ．Ｉ．リアクティブブラック５、８、３１、３９等が挙げられ、
塩基性染料としては、Ｃ．Ｉ．ベーシックイエロー１１、１４、２１、３２；Ｃ．Ｉ．ベーシックレッド１、２、９、１２、１３；Ｃ．Ｉ．ベーシックバイオレット３、７、１４；Ｃ．Ｉ．ベーシックブルー３、９、２４、２５等が挙げられる。
【００５８】
これら列挙した染料は、「染色ノート第２１版」（出版；色染社）等に記載されている。
【００５９】
（その他の構成要素）
本発明に適用可能な水系インクジェットインクに含有できる溶剤としては、アルコール類（例えば、メタノール、エタノール、プロパノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、トリプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールジメチルエーテル、プロピレングリコールモノメチルエーテル、プロピレングリコールモノエチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、トリエチレングリコールジメチルエーテル、ジプロピレングリコールモノプロピルエーテル、トリプロピレングリコールジメチルエーテル等）、アミン類（例えば、エタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンアジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、Ｎ−シクロヘキシル−２−ピロリドン、２−オキサゾリドン、１，３−ジメチル−２−イミダゾリジン等）、スルホキシド類（例えば、ジメチルスルホキシド等）、スルホン類（例えば、スルホラン等）が挙げられる。
【００６０】
本発明に適用可能な水系インクジェットインクには、その表面張力を制御するため、界面活性剤を添加することもできる。界面活性剤としては、例えば、アニオン系、カチオン系、両性、ノニオン系のものが使用され、代表的には、アニオン系の界面活性剤としては、脂肪酸塩、アルキル硫酸塩、アルキル硫酸エステル、アルキルベンゼンスルホン酸塩、アルキルナフタレンスルホン酸塩、ジアルキルスルホコハク酸塩、アルキルリン酸エステル塩、アルキルナフタレンスルホン酸ホルマリン縮合物、ポリオキシエチレンアルキル硫酸エステル塩等、カチオン系の界面活性剤としては、アミン塩、テトラアルキル４級アンモニウム塩、トリアルキル４級アンモニウム塩、アルキルピリジニウム塩、アルキルキノリニウム塩等、ノニオン系の界面活性剤としては、ポリオキシエチレンアルキルエーテル、ポリオキシエチレンアルキルフェニルエーテル、ポリオキシエチレン脂肪酸エステル、ポリオキシエチレンソルビタン脂肪酸エステル、ポリオキシエチレンアルキルアミン、ポリプロピレングリコールのエチレンオキサイド付加物、アセチレングリコール、アセチレングリコールのエチレンオキサイド付加物等が挙げられる。
【００６１】
また、本発明に適用可能な水系インクジェットインクには、吐出安定性、プリントヘッドやインクカートリッジへの適合性、保存安定性、その他諸特性向上を目的として、それぞれの目的に適合する、粘度調整剤、比抵抗調整剤、皮膜形成剤、紫外線吸収剤、酸化防止剤、防腐剤、防黴剤、防錆剤、ｐＨ調整剤、染料溶解助剤、消泡剤、金属キレート剤等を添加することもできる。
【００６２】
防腐剤、防黴剤の好ましい具体例としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ベンズイソチアゾリジン−３−オン（アビシア社のプロキセルＣＲＬ、プロキセルＢＤ、プロキセルＧＸＬ、プロキセルＴＮ、プロキセルＸＬ−２等）、４−クロロ−３−メチルフェノール（バイエル社のプリベントールＣＭＫ等）が挙げられる。
【００６３】
ｐＨ調整剤の例としては、ジエタノールアミン、トリエタノールアミン、プロパノールアミン、モルホリン等のアミン類及びそれらの変性物、水酸化カリウム、水酸化ナトリウム、水酸化リチウム等の無機塩類、水酸化アンモニウム、４級アンモニウム水酸化物（テトラメチルアンモニウム等）、炭酸カリウム、炭酸ナトリウム、炭酸リチウム等の炭酸塩類その他リン酸塩等が挙げられる。
【００６４】
染料溶解助剤の例としては、尿素、チオ尿素、テトラメチル尿素等の尿素類が挙げられる。
【００６５】
《インクジェット記録装置》
ついで、本発明のヘッドクリーニング液を適用するクリーニング機構を有するインクジェット記録装置について説明する。
【００６６】
図１は、クリーニング機構を備えたインクジェット記録装置の構成の一例を示す概略ライン図であり、その一例として、布帛に印字を行うインクジェット捺染記録方法について説明する。
【００６７】
図１においては、ヘッド７ａを下面に保持したキャリッジ７は、不図示のガイドに沿って、記録媒体である布帛ＣＬを保持する保持台４に対し左右方向に移動可能となっている。保持台の左右方向に延在するように、その全体にわたってリニアエンコーダ１１が配置されている。
【００６８】
リニアエンコーダ１１は、長手方向に沿って微少等間隔に複数の刻線１１ａが形成されており、キャリッジ７には、リニアエンコーダ１１の刻線１１ａを読み取り可能な、例えば、光学式の読取部（不図示）が設けられている。
【００６９】
図１において、保持台４の右方には、ヘッド７ａをクリーニングするためのクリーニング部が設けられている。クリーニング部は、吐出インク受容容器１３と、クリーニング機構１４及びサッキングユニット１５とから構成されている。
【００７０】
クリーニング部におけるヘッドクリーニングの動作について、以下に説明する。
【００７１】
まず、ヘッド７ａの底部であるノズル部７ｂのクリーニングを行う場合、制御装置（不図示）の制御下で、キャリッジ７は、ゼロ番地より更に右方に移動する。ヘッド７ａは、吐出インク受容容器１３上を通過する際に、クリーニングの前作業として、ノズルよりインクを出射して、ノズルを空にする。
【００７２】
次いで、ヘッド７ａは、ヘッドクリーニング液１４ｂに約半分漬けられた状態で回転可能なローラ１４ａを備えたヘッドクリーニング液保持容器１４ｃから構成されるクリーニング機構１４の上部に移動する。
【００７３】
図２は、本発明のヘッドクリーニング液を貯留したクリーニング機構によるヘッドクリーニングの状態を示す模式図である。
【００７４】
図２のａ）においては、ヘッド７ａは、イエローインク吐出用のヘッドＹ、マゼンタインク吐出用のヘッドＭ、シアンインク吐出用のヘッドＣ及びブラックインク吐出用のヘッドＫの４つから構成され、キャリッジ７に保持されている。
【００７５】
クリーニング機構１４は、ヘッドクリーニング液保持容器１４ｃ中に、少なくともキレート剤を０．０１質量％以上、１．０質量％以下含有する本発明のヘッドクリーニング液１４ｂが貯留されている。このヘッドクリーニング液１４ｂに約１／２浸漬した状態で、回転可能なローラ１４ａが設置され、ローラ１４ａをモータ等で回転させながら、ヘッドクリーニング液１４ｂを、ノズル部を有するヘッド底部７ｂ面に供給すると共に、ローラ１４ａによりヘッド底部７ｂに付着した金属イオンを含有するインク固着物を除去する。なお、ローラ１４ａの表面は、金属等を芯金とし、その表面をスポンジ、ゴム等の軟質材質で被覆されている構成とすることができる。
【００７６】
図２のｂ）は、図２のａ）で示した構成をＡ方向から見たときの断面図である。
【００７７】
図２のｂ）において、ヘッド７ａのヘッド底部７ｂにローラ１４ａが接する様に配置され、このローラ１４ａは、ローラ保持具１８を介して、ローラ１４ａをヘッド７ａの長手方向に移動させるエアーシリンダー１７に接続されている。
【００７８】
印字開始の前後で上記クリーニング機構７によりクリーニングされたキャリッジ７に搭載されたヘッド７ａは、右方へと移動し、ヘッドの数だけサッキングキャップ１５ｂを備えたサッキングユニット１５の上方に至る。サッキングキャップ１５ｂは、サッキングポンプ１５ａに、ポンプチューブ１５ｃを介して接続されており、上方に来たヘッド７ａに密封的に当接して、ノズル７ｂ内の洗浄液やインクを吸い出すことができるようになっている。
【００７９】
このようにして洗浄されたヘッド７ａは、キャリッジ７の移動と共に、再び保持台４の上方へと搬送され、画像のプリントを行うようになっている。
【００８０】
通常、インクジェット記録装置においては、プリント終了後におけるヘッドの取り扱いが問題となる。すなわち、ヘッドのノズル径は約４０μｍと細いため、水不溶成分を含んだ捺染用インクが詰まりやすくなっており、インクを出射したヘッドのノズルを空気中に放置すると、ノズル詰まりによりヘッドが使用不能となる恐れがある。そこで、インクジェット記録装置を停止した場合には、ヘッドをキャッピングするという作業が必要となる。
【００８１】
図１において、保持台４の左方には、ヘッド７ａをキャッピングするためのキャッピング機構１６が設けられている。キャッピング機構１６は、キャッピング液を貯留した、底壁を有する円筒状部材であるキャップ１６ａと、キャッピング液を補充するためのキャッピング袋１６ｃとから構成されている。なお、キャッピング袋１６ｃと、ヘッド７ａの数だけ設けられたキャップ１６ａとは、その底部においてチューブによって連結されている。キャッピング機構１６の上方には、キャリッジ７がキャッピング位置に来た場合、これを検出してその駆動を停止すべく制御装置に検出信号を送信するセンサが配置されている。
【００８２】
プリントが終了し、ヘッド７ａが、キャップ１６ａの上方に位置したときに、キャップ１６ａは、対応するか各ヘッド７ａの下面に密封的に当接して、その下面を外界に対して遮断し、かつその内部空間をキャッピング液の飽和蒸気で満たすことによって、ノズルの詰まりを防止するようになっている。かかる場合、キャッピング液１６ｂが水と防黴剤とを含み、もしくはキャッピング液１６ｂが、水と、水よりも蒸発しやすい材料（例えばアルコール）を含むことにより、キャッピング液１６ｂの蒸気をヘッド７ａの下面に接触させることができるため、黴などの発生を防止しつつ、ヘッド７ａを良好な状態で保管することができる。
【００８３】
なお、上記説明では、インクジェット捺染記録方法で用いるインクジェット記録装置に装填するクリーニング機構を一例として説明したが、水溶性染料インクを用い、インクジェット専用紙、インク吸収性記録媒体、あるいは非インク吸収性記録媒体に印字するインクジェット記録方式についても、同様に適用することができる。
【実施例】
【００８４】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００８５】
《ヘッドクリーニング液の調製》
〔ヘッドクリーニング液１の調製〕
消泡剤：シリコーン系消泡剤、東レダウコーニング社製、ＦＳアンチフォーム９２
０．３０％
防黴剤：アーチケミカル社製、プロキセルＧＸＬ−Ｓ                  ０．１０％
イオン交換水（総量を１００質量％とするに必要な量）              ９９．６０％
上記各添加剤を混合、攪拌して、ヘッドクリーニング液１を調製した。
【００８６】
〔ヘッドクリーニング液２の調製〕
キレート剤：ヒドロキシエチルイミノ二酢酸（以下、ＨＩＤＡと略記）０．００５％
消泡剤：シリコーン系消泡剤、東レダウコーニング社製、ＦＳアンチフォーム９２
０．３０％
防黴剤：アーチケミカル社製、プロキセルＧＸＬ−Ｓ                  ０．１０％
イオン交換水（総量を１００質量％とするに必要な量）            ９９．５９５％
上記各添加剤を混合、攪拌して、ヘッドクリーニング液２を調製した。
【００８７】
〔ヘッドクリーニング液３〜２７の調製〕
上記ヘッドクリーニング液２の調製において、キレート剤の種類と添加量、消泡剤の有無、防黴剤の有無を、表１に記載のように変更した以外は同様にして、ヘッドクリーニング液３〜２７を調製した。なお、それぞれのイオン交換水の添加量は、総量が１００質量％となるよう適宜調整した。
【００８８】
なお、表１に略称で記載した各キレート剤の詳細は以下の通りである。
【００８９】
ＨＩＤＡ：ヒドロキシエチルイミノ二酢酸
ＥＤＴＡ：エチレンジアミン四酢酸
ＮＴＡ：ニトリロ三酢酸
ＤＴＰＡ：ジエチレントリアミン五酢酸
ＧＬＤＡ：Ｌ−アスパラギン酸二酢酸
ＨＥＤＴＡ：ヒドロキシエチルエチレンジアミン六酢酸
ＧＥＤＴＡ：グリコールエーテルジアミン四酢酸
ＴＴＨＡ：トリエチレンテトラミン六酢酸
ＤＨＥＧ：ヒドロキシエチルグリシン
《ヘッドクリーニング液の評価》
〔インクジェット記録装置〕
図１に記載の構成からなるインクジェット記録装置を用い、記録ヘッドとしてはコニカミノルタ製のインクジェットヘッド（ＨＡ−１０２４）を装備し、インクジェットインクとしては、コニカミノルタ製のナッセンジャーＶ用シアンインク（反応性シアン染料インク  １Ｌ入り）を用いた。また、クリーニング機構は、図１、図２の構成を用いた。
【００９０】
〔インク連続吐出及びクリーニング操作〕
上記インクジェット記録装置に、シアンインクを装填し、５４０ｄｐｉ×７２０ｄｐｉの解像度、駆動電圧１２．４Ｖの条件で、全ノズル（５１２ノズル）から連続３０分間射出し、その後１０分間休止した。この作業を１日に１２回繰り返して行った。なお、本発明でいうｄｐｉとは、２．５４ｃｍあたりのドット数を表す。
【００９１】
次いで、１日当たり１２回の出射を行った後、図２に示す構成からなるクリーニング機構を用いて、各ヘッドクリーニング液を用いて、記録ヘッドのクリーニングを行った。
【００９２】
上記１２回の出射とクリーニングとを１日で行い、この操作を連続して７日間行った。
【００９３】
〔出射安定性の評価〕
上記方法に従って、１日当たり１２回の出射及びクリーニング操作を連続７日間行った後、記録ヘッド（５１２ノズル）からシアンインクを５４０ｄｐｉ×７２０ｄｐｉの解像度、駆動電圧１２．４Ｖの条件で吐出したとき、ノズル欠を起こしているノズル数をカウントし、それを出射安定性の尺度とした。
【００９４】
〔印字濃度の測定〕
上記方法に従って、７日間の出射操作を行った後、布帛としてＡ４サイズの綿を用いてシアンベタ画像を印字し、７５℃で乾燥させてから発色し、さらに洗濯、アイロンがけを行って、試料１〜２７を作製した。
【００９５】
作製した布帛の濃度を、ＣＩＥ  １９７６（Ｌ＊，ａ＊，ｂ＊）ｃｏｌｏｒ  ｓｐａｃｅ（ＣＩＥＬＡＢ）規格に基づき、９３８  Ｓｐｅｃｔｒｏｄｅｎｓｉｔｏｍｅｔｅｒ（Ｘ−ｒｉｔｅ社製）を用いて測定し、色濃度（Ｌ＊）を測定した。
【００９６】
以上により得られた結果を、表１に示す。
【００９７】
【表１】
2011093216.tif 000002
【００９８】
表１の記載の結果より明らかなように、キレート剤を０．０１質量％以上、１．０質量％以下含有する本発明のヘッドクリーニング液を用いることにより、比較例に対し、連続出射を行った際の記録ヘッドのクリーニング性に優れ、ヘッド欠の発生を抑制し、連続出射後でも所望の画像濃度を安定して得ることができることが分かる。
【符号の説明】
【００９９】
４  保持台
６  バキュームポンプ
７  キャリッジ
７ａ  ヘッド
７ｂ  ノズル部
１１  リニアエンコーダ
１３  吐出インク受容容器
１４  クリーニング機構
１４ａ  ローラ
１４ｂ  ヘッドクリーニング液
１４ｃ  ヘッドクリーニング液保持容器
１５  サッキングユニット
１６  キャッピング機構
１７  エアーシリンダー
１８  ローラ保持金具
ＣＬ  布帛
Ｙ  イエローインク吐出用のヘッド
Ｍ  マゼンタインク吐出用のヘッド
Ｃ  シアンインク吐出用のヘッド
Ｋ  ブラックインク吐出用のヘッド
【図１】
2011093216.tif 000003
【図２】
2011093216.tif 000004